(57)【要約】【課題】ドアレバーを上下のいずれの方向へ回転操作させても、ロックピンによるロック状態を解除することができるコンソールドア用操作装置を提供する。【解決手段】コンソールドア１０をコンソール本体に対してロックするロックピン２４と、このロックピンによるロックを解除するドアレバー２０とを備えている。そして、ロックピンとドアレバーのいずれか一方がカム部２５を備え、他方がカム部に対する接触子２０ｅを備えている。カム部は、上下方向の中間点２５ｃから上下方向へ所定の傾斜角度でそれぞれ延びる第１カム面２５ａおよび第２カム面２５ｂを備え、接触子は、ドアレバーが中立位置にあるときはカム部の中間点に位置し、ドアレバーを上下いずれかの方向へ回転操作することにより、カム部の第１カム面あるいは第２カム面に沿って相対的に移動し、ロックピンをロック解除状態に作動させるように構成されている。【選択図】図６
2014201107.tif 000002
【特許請求の範囲】
【請求項１】
コンソール本体に開閉可能に組付けられたコンソールドアを、該コンソール本体側に対して閉じた状態でロックするロックピンと、このロックピンによるロックを解除するドアレバーとを備えたコンソールドア用操作装置であって、
ロックピンは、コンソールドアに対してロックおよびロック解除のための作動ができるように組付けられており、ドアレバーは、その中立位置から上下両方向へ回転操作できるようにコンソールドアに支持されており、
ロックピンとドアレバーのいずれか一方がカム部を備え、他方がカム部に対する接触子を備え、
カム部は、上下方向の中間点から上下方向へ所定の傾斜角度でそれぞれ延びる第１カム面および第２カム面を備え、
接触子は、ドアレバーが中立位置にあるときはカム部の中間点に位置し、ドアレバーを上下いずれかの方向へ回転操作することにより、カム部の第１カム面あるいは第２カム面に沿って相対的に移動し、ロックピンをロック解除状態に作動させるように構成されているコンソールドア用操作装置。
【請求項２】
コンソールドアに組付けられるドアレバーと、ドアレバーの位置規制を行う規制バーとにより構成されるコンソールドア用操作装置であって、
ドアレバーは、その中立位置から上下両方向へ回転操作できるようにコンソールドアに支持されており、規制バーは、コンソールドアに対して往復移動するように組付けられ、かつスプリングによって一方向へ引き戻されるように付勢力を受けており、
規制バーとドアレバーのいずれか一方が規制カム部を備え、他方が規制カム部に対する規制接触子を備え、
規制カム部は、上下方向の中間点から上下方向へ所定の傾斜角度でそれぞれ延びる第１カム面および第２カム面を備え、
規制接触子は、ドアレバーが中立位置にあるときには規制カム部の中間点に位置し、ドアレバーを上下いずれかの方向へ回転操作することにより、規制カム部の第１カム面あるいは第２カム面に沿って相対的に移動して規制バーを移動させるように構成され、
回転操作されたドアレバーを解放すると、規制バーがスプリングの付勢力で引き戻されて、規制接触子が規制カム部の中間点に戻るように構成されているコンソールドア用操作装置。
【発明の詳細な説明】
【技術分野】
【０００１】
本発明は、コンソールドア用操作装置に関する。詳しくは、コンソールボックス本体（以下、コンソール本体と記す）の収納部の上面開放口を開閉するコンソールドアをコンソール本体に対してロックするための操作装置、および、該コンソールドアのドアレバーを位置規制するための操作装置に関する。
【背景技術】
【０００２】
この種のコンソールドア用操作装置が特許文献１に開示されている。このコンソールドア用操作装置は、コンソール本体に対してコンソールドアをロックすることのできるロックピンをコンソールドアの側部に備えている。そして、このロックピンによるロックは、コンソールドアの前端に設けられたドアレバーを上方に引き上げることにより、解除されるように設定されている。
【０００３】
このコンソールドア用操作装置において、ドアレバーは、その後方に配置されたカムブロックと当接している。カムブロックの前部は、下方に向かって斜めに傾斜した傾斜面とされているため、ドアレバーが上方へ回転操作されることによって生じるドアレバーの操作力は、即座にカムブロックを後退させる力へと変換される。そして、このカムブロックの後退に伴い、ロックピンのロックが解除される。
【０００４】
また、上述したカムブロックは、付勢手段により常に前方へ付勢されている。そのため、回転操作されたドアレバーが開放されると、カムブロック前部の傾斜面がドアレバーを戻り方向に回転させて、該ドアレバーを操作前の初期位置に戻すように作動する。
【先行技術文献】
【特許文献】
【０００５】
【特許文献１】特開２００９−６７１０５号公報
【発明の概要】
【発明が解決しようとする課題】
【０００６】
特許文献１に記載のコンソールドア用操作装置において、そのロックピンによるロックを解除するためのドアレバーの操作方向は、上方のみに限定されている。そのため、コンソールボックスの使用者が、ドアレバーを上方に引き上げることが難しい状況にある場合、該使用者は、ロックピンによるロックを解除して、コンソールドアを開けることを困難とされる。
また、この操作装置では、ドアレバーが回転操作から開放されたときに、該ドアレバーを初期位置の方向に付勢するカムブロックの傾斜面の傾斜方向が、下向きの一方向のみとされている。そのため、該操作装置によるドアレバーの位置規制は、ドアレバーの一方向への回転操作に対応したものに限定されている。なお、戻り方向に付勢されたドアレバーは、該操作装置におけるストッパーと接触することによって、その戻り位置が決められる。そして、このドアレバーとストッパーの接触が、該操作装置における異音発生の原因となっている。
【０００７】
本発明は、上記のような問題点を解決しようとするものであって、その目的は、ドアレバーを上下のいずれの方向へ回転操作させても、ロックピンによるロック状態を解除することができるコンソールドア用操作装置を提供することである。
また、ドアレバーを上下のいずれの方向へ回転操作させた場合であっても、該ドアレバーを常に中立位置に戻すことができ、尚且つ、ドアレバーを位置決めするストッパーを無くして異音の発生を防止されたコンソールドア用操作装置を提供することである。
【課題を解決するための手段】
【０００８】
本発明は、上記の目的を達成するためのもので、以下のように構成されている。
コンソール本体に開閉可能に組付けられたコンソールドアを、該コンソール本体側に対して閉じた状態でロックするロックピンと、このロックピンによるロックを解除するドアレバーとを備えたコンソールドア用操作装置であって、ロックピンは、コンソールドアに対してロックおよびロック解除のための作動ができるように組付けられており、ドアレバーは、その中立位置から上下両方向へ回転操作できるようにコンソールドアに支持されており、ロックピンとドアレバーのいずれか一方がカム部を備え、他方がカム部に対する接触子を備えている。カム部は、上下方向の中間点から上下方向へ所定の傾斜角度でそれぞれ延びる第１カム面および第２カム面を備え、接触子は、ドアレバーが中立位置にあるときはカム部の中間点に位置し、ドアレバーを上下いずれかの方向へ回転操作することにより、カム部の第１カム面あるいは第２カム面に沿って相対的に移動し、ロックピンをロック解除状態に作動させるように構成されている。
この構成によれば、ドアレバーを上下のいずれの方向へ回転操作させても、ロックピンによるロックを解除することができる。
【０００９】
また、コンソールドアに組付けられるドアレバーと、ドアレバーの位置規制を行う規制バーとにより構成されるコンソールドア用操作装置であって、ドアレバーは、その中立位置から上下両方向へ回転操作できるようにコンソールドアに支持されており、規制バーは、コンソールドアに対して往復移動するように組付けられ、かつスプリングによって一方向へ引き戻されるように付勢力を受けており、規制バーとドアレバーのいずれか一方が規制カム部を備え、他方が規制カム部に対する規制接触子を備えている。規制カム部は、上下方向の中間点から上下方向へ所定の傾斜角度でそれぞれ延びる第１カム面および第２カム面を備え、規制接触子は、ドアレバーが中立状態にあるときには規制カム部の中間点に位置し、ドアレバーを上下いずれかの方向へ回転操作することにより、規制カム部の第１カム面あるいは第２カム面に沿って相対的に移動して規制バーを移動させるように構成され、回転操作されたドアレバーを解放すると、規制バーがスプリングの付勢力で引き戻されて、規制接触子が規制カム部の中間点に戻るように構成されている。
この構成によれば、ドアレバーを上下のいずれの方向へ回転操作させた場合であっても、操作力を解放することで該ドアレバーを常に所定の中立位置に戻すことができる。
【図面の簡単な説明】
【００１０】
【図１】センターコンソールの外観斜視図である。
【図２】コンソールドアの外観斜視図である。
【図３】コンソールドア用操作装置を構成する各部品の斜視図である。
【図４】コンソールドア用操作装置を構成する各部品の組付け状態を表した上面図。
【図５】図２のＶ−Ｖ矢視方向の断面図である。
【図６】図２のＶＩ−ＶＩ矢視方向の断面図である。
【図７】コンソールドア用操作装置の作動を、図２のＶＩ−ＶＩ矢視方向の断面図によって表している。
【図８】コンソールドア用操作装置の作動を、図２のＶＩＩＩ−ＶＩＩＩ矢視方向の断面図によって表している。
【図９】他の実施形態に係るコンソールドア用操作装置の作動を、図２のＶＩ−ＶＩ矢視方向の断面図によって表している。
【発明を実施するための形態】
【００１１】
以下、本発明を実施するための形態を、図面を用いて説明する。
図１に示すように、コンソールドア１０は、車両（主として自動車）のセンターコンソール１におけるコンソール本体２の上部ボックス３に対し、該上部ボックス３の開放上面を開閉するように設置されている。
【００１２】
図２に示すように、コンソールドア１０は、箱形のドアインナ１２を骨格としている。コンソールドア１０は、ドアインナ１２の上面をドアアウタ１４によって被い、さらに、このドアアウタ１４の上面にドアパッド１６を備え付けることにより構成されている。
【００１３】
ドアインナ１２の両側後部には、ドア回転軸１２ａが設けられている。図１に示す組付け状態において、コンソールドア１０は、このドア回転軸１２ａを介して上部ボックス３に対して組付けられている。上部ボックス３に組付けられたコンソールドア１０は、ドア回転軸１２ａを軸心として上部ボックス３に対して回転可能に支持されている。
【００１４】
ドアインナ１２の両側前部には、該ドアインナ１２の側壁を厚み方向に貫通した嵌入孔１２ｂ（図４参照）が設けられている。この嵌入孔１２ｂを通じて、後述するロックピン２４のロック部２４ａがドアインナ１２の外方に突き出している。このロック部２４ａの外方への突き出しにより、コンソールドア１０を上部ボックス３に対してロックすることができる。
【００１５】
図２に示すように、ドアインナ１２とドアアウタ１４の前端は、その左右方向の中央部分が切り欠かれている。そして、この切り欠いた部分に、後述するドアレバー２０の把持部２０ａが配置されている。
【００１６】
コンソールドア１０の内部には、図３に示すドアレバー２０、レバーシャフト２２、ロックピン２４、ロックピンリテーナー２６、規制バー２８、規制バーリテーナー３０、スプリングＳ１，Ｓ２、が備えられている。これらの各部材は、図４に示すようにして、ドアインナ１２内で互いに組付けられている。この組付けによって、コンソールドア１０用操作装置が構成されている。
【００１７】
図４に示すように、ドアインナ１２の前端部における左右方向の中央には、ドアレバー２０が配置されている。ドアレバー２０は、後述する回転支持部２０ｃを介してドアインナの係止部に組付けられている。ドアレバー２０は、ドアインナ１２により、回転支持部２０ｃを軸心として上下に回転可能に支持されている。
【００１８】
ドアレバー２０の前端部分は、左右に延びる把持部２０ａとなっている（図３参照）。この把持部２０ａの後方側には、左右に分かれた一対の伝達ブロック２０ｂが形成されている。前述した回転支持部２０ｃは、この両伝達ブロック２０ｂの外側側面に設けられている。
【００１９】
ドアレバー２０の両伝達ブロック２０ｂにおいて、回転支持部２０ｃの後方側には、後述するレバーシャフト２２を左右方向に挿通するための貫通孔２０ｄが設けられている（図３参照）。また、両伝達ブロック２０ｂの後端には、後方へ延びる円筒状の接触子２０ｅが設けられている（図３参照）。両接触子２０ｅは、後述するロックピン２４のカム部２５内に挿入されることによって、ロックピン２４にドアレバー２０の操作力を伝達するように設定されている。
【００２０】
図４に示すように、ドアインナ１２の内部において、ドアレバー２０の両伝達ブロック２０ｂの左右には、個々にロックピン２４が設けられている。両ロックピン２４は、ドアインナ１２の側壁に沿って前後に延び、その後端側がドアインナ１２の中央に向けて屈曲している。両ロックピン２４は、ドアインナ１２の左右方向に対して移動できるようになっている。
【００２１】
両ロックピン２４のうち、ドアインナ１２の前後方向に延びた部分には、ドアインナ１２の外方に向けて突き出した円筒状のロック部２４ａが形成されている。ロック部２４ａは、ドアインナ１２の側壁に設けられた嵌入孔１２ｂに対して進退自在に嵌入できるように構成されている。
【００２２】
両ロックピン２４のうち、ドアインナ１２の中央に向かう部分の先端には、カム部２５が形成されている（図３参照）。カム部２５の前面側の中央部分は、凹んでいる。この凹み部分を形成する壁のうち、ドアインナの中央寄りの部分は、カム部２５における上下方向の中間点２５ｃから上下方向へ所定の傾斜角度でそれぞれドアインナ１２の外方へ延びる第１カム面２５ａおよび第２カム面２５ｂによって構成されている。
【００２３】
図４に示す組付け状態において、両ロックピン２４のカム部２５は、夫々、ドアレバー２０の両伝達ブロック２０ｂ後方に位置している。そして、両カム部２５の凹み部分にドアレバー２０の接触子２０ｅが挿入されて、該カム部２５と該接触子２０ｅとが連結した状態となっている（図５参照）。
【００２４】
ロックピン２４のカム部２５とドアレバー２０の接触子２０ｅは、次ぎのような設定の下、互いに組付いた状態にある。すなわち、ドアレバー２０の把持部２０ａが図５に示す中立位置にあるときには、ドアレバー２０の接触子２０ｅが、カム部２５の中間点２５ｃに位置するように設定されている（図６参照）。また、ドアレバー２０の把持部２０ａを上下方向へ回転操作するのに伴って、ドアレバー２０の接触子２０ｅが上下方向へ動く時には、該接触子２０ｅがロックピン２４におけるカム部２５の第１カム面２５ａもしくは第２カム面２５ｂに接触した状態で動くように設定されている。
【００２５】
ロックピン２４において、そのカム部２５の後側には突起部２４ｂが設けられている（図３参照）。図４に示すように、この突起部２４ｂは、該突起部２４ｂの外方側の位置でドアインナ１２に対して固定されているロックピンリテーナー２６（図3参照）とスプリングＳ１によって連結されている。これにより、後述するようにしてロックピン２４がドアインナ１２の内方へ移動した場合には、該ロックピン２４が常に外方へ付勢されて所定位置に戻るようになっている。
【００２６】
図４に示すように、ドアインナ１２の内部において、ドアレバー２０の後方には、ドアインナ１２の左右方向の中央を前後に延びる規制バー２８が配置されている。規制バー２８は、ドアインナ１２の前後方向に対して移動できるようになっている。
【００２７】
規制バー２８は、その前端に規制カム部２９を備えている（図３参照）。この規制カム部２９の内側は、左右方向に貫通されている。この貫通された部分の前端部分は、規制バー２８における上下方向の中間点２９ｃから上下方向へ所定の傾斜角度でそれぞれ後方へ延びる第１カム面２９ａおよび第２カム面２９ｂによって構成されている。
【００２８】
図４に示す組付け状態で、規制バー２８の規制カム部２９は、ドアレバー２０の両伝達ブロック２０ｂの間に配置されている。そして、この規制カム部２９の貫通部分および両伝達ブロック２０ｂの貫通孔２０ｄに対して、レバーシャフト２２が左右方向に挿通されている。レバーシャフト２２は、両伝達ブロック２０ｂの外側で抜け留めされている。これにより、規制バー２８は、レバーシャフト２２を介してドアレバー２０と連結している。
なお、レバーシャフト２２は、ドアレバー２０の両伝達ブロック２０ｂと一緒に回転支持部２０ｃを支点とした円弧運動が可能である。そして、このレバーシャフト２２が本発明の「規制接触子」に相当する。
【００２９】
規制バー２８の規制カム部２９とレバーシャフト２２は、次ぎのような設定の下、互いに組付けられている。すなわち、後で図８によって詳述するように、ドアレバー２０の把持部２０ａが中立位置にあるときには、レバーシャフト２２が、規制カム部２９の中間点２９ｃに位置するように設定されている。また、ドアレバー２０の把持部２０ａを上下方向へ回転操作するのに伴って、レバーシャフト２２が規制バー２８における規制カム部２９の第１カム面２９ａもしくは第２カム面２９ｂに接触した状態で動くように設定されている。
【００３０】
規制バー２８において、規制カム部２９の後方には突起部２８ａが設けられている（図３参照）。図４に示すように、この突起部２８ａは、該突起部２８ａの後方の位置でドアインナ１２に対して固定されている規制バーリテーナー３０（図３参照）とスプリングＳ２によって連結されている。これにより、後述するようにして規制バー２８が前方へ移動した場合には、該規制バー２８が常に後方へ付勢されて所定位置に戻るようになっている。
【００３１】
つづいて、コンソールドア１０用操作装置によるコンソールドア１０のロックとロック解除の様子を、主として図７によって説明する。なお、図７の（Ａ）はドアレバー２０の把持部２０ａが中立位置にある状態を、（Ｂ）はドアレバー２０の把持部２０ａを下方へ回転操作させた状態を、（Ｃ）はドアレバー２０の把持部２０ａを上方へ回転操作させた状態を表している。ロックピン２４およびドアレバー２０の構成および作動は、コンソールドア１０の左右で対称であるため、ここでは左側部分のみを示している。
【００３２】
図７の（Ａ）に示すように、ドアレバー２０の把持部２０ａが中立位置にあるとき、ドアレバー２０の両接触子２０ｅは、カム部２５の中間点２５ｃに位置している。このとき、ロックピン２４のロック部２４ａは、コンソールドア１０の外方に飛び出して、該コンソールドア１０を上部ボックス３に対してロックする状態にある。
【００３３】
ドアレバー２０の把持部２０ａを、その中立位置から下方へ回転操作すると、該ドアレバー２０の接触子２０ｅがカム部２５の第１カム面２５ａに沿って上方へ相対的に動き、図７の（Ｂ）に示すように、ロックピン２４が内方へ案内された状態となる。このとき、ロックピン２４のロック部２４ａがコンソールドア１０の内方に後退し、上部ボックス３に対するコンソールドア１０のロック解除状態が実現されている。
【００３４】
また、ドアレバー２０の把持部２０ａを、その中立位置から上方へ回転操作すると、該ドアレバー２０の接触子２０ｅがカム部２５の第２カム面２５ｂに沿って下方へ相対的に動き、図７の（Ｃ）に示すように、ロックピン２４が内方へ案内された状態となる。このとき、ロックピン２４のロック部２４ａがコンソールドア１０の内方に後退し、上部ボックス３に対するコンソールドア１０のロック解除状態を実現されている。
【００３５】
下方もしくは上方へ回転操作されたドアレバー２０を自由状態に開放すると、ロックピン２４は、該ロックピン２４とロックピンリテーナー２６とを連結するスプリングＳ１によって、コンソールドア１０の側部に向けて付勢され、図７の（Ａ）に示す所定位置に戻る。
このとき、ドアレバー２０の接触子２０ｅは、カム部２５の中間点２５ｃに戻る。そして、ドアレバー２０の把持部２０ａは、中立位置に戻る。
【００３６】
なお、下方へ回転操作されたドアレバー２０を自由状態に開放した場合、ドアレバー２０の接触子２０ｅはカム部２５の第１カム面２５ａに沿って下方へ相対的に動いて、カム部２５の中間点２５ｃに戻る。また、上方へ回転操作されたドアレバー２０を自由状態に開放した場合、ドアレバー２０の接触子２０ｅはカム部２５の第２カム面２５ｂに沿って上方へ相対的に動いてカム部２５の中間点２５ｃに戻る。
【００３７】
本実施形態においては、ドアレバー２０の把持部２０ａを上下いずれかの方向へ回転操作させると、該ドアレバー２０の接触子２０ｅが第１カム面２５ａあるいは第２カム面２５ｂに沿って相対的に移動し、ロックピン２４をロック解除状態に作動させるように構成されている。そのため、ドアレバー２０の把持部２０ａを上下のいずれの方向へ回転操作させても、ロックピン２４によるロックを解除することができる。
【００３８】
つづいて、コンソールドア１０用操作装置によるドアレバー２０の位置規制の様子を、主として図８によって説明する。なお、図８の（Ａ）はドアレバー２０の把持部２０ａが中立位置にある状態を、（Ｂ）はドアレバー２０の把持部２０ａを下方へ回転操作させた状態を、（Ｃ）はドアレバー２０の把持部２０ａを上方へ回転操作させた状態を表している。
【００３９】
図８の（Ａ）に示すように、ドアレバー２０の把持部２０ａが中立位置にあるとき、レバーシャフト２２は、規制カム部２９の中間点２９ｃに位置している。
【００４０】
ドアレバー２０の把持部２０ａを、その中立位置から下方へ回転操作すると、レバーシャフト２２が規制カム部２９の第１カム面２９ａに沿って上方へ相対的に動く。この結果、図８の（Ｂ）に示すように、規制バー２８が前方に案内された状態となる。
【００４１】
また、ドアレバー２０の把持部２０ａを、その中立位置から上方へ回転操作すると、レバーシャフト２２が規制カム部２９の第２カム面２９ｂに沿って下方へ相対的に動く。この結果、図８の（Ｃ）に示すように、規制バー２８が前方に案内された状態となる。
【００４２】
下方もしくは上方へ回転操作されたドアレバー２０を自由状態に開放すると、レバーシャフト２２は、該レバーシャフト２２と規制バーリテーナー３０とを連結するスプリングＳ２によってコンソールドア１０の中央に付勢され、図８の（Ａ）に示す所定位置に戻る。これに伴って、レバーシャフト２２は規制カム部２９の中間点２９ｃに戻る。そして、ドアレバー２０の把持部２０ａは中立位置に戻る。
【００４３】
なお、下方へ回転操作されたドアレバー２０を自由状態に開放した場合、レバーシャフト２２は規制カム部２９の第１カム面２９ａに沿って下方へ相対的に動いて、規制カム部２９の中間点２９ｃに戻る。また、上方へ回転操作されたドアレバー２０を自由状態に開放した場合、レバーシャフト２２は規制カム部２９の第２カム面２９ｂに沿って上方へ相対的に動いて、規制カム部２９の中間点２９ｃに戻る。
【００４４】
規制バー２８を用いたドアレバー２０の位置規制は、本実施形態のコンソールドア１０用操作装置によってコンソールドア１０のロックおよびロック解除の操作を行う場合のみならず、他の一般的なリンク機構によりロック部とドアレバーが連結されている操作装置によってコンソールドア１０のロックおよびロック解除の操作を行う場合においても利用可能である。
【００４５】
規制バー２８を用いたドアレバー２０の位置規制は、ドアレバー２０の把持部２０ａの操作方向が上方もしくは下方のみとされる場合であっても、利用可能である。
【００４６】
本実施形態において、規制バー２８は、スプリングＳ２を介してドアインナ１２に対して組付けられており、回転操作されたドアレバー２０を自由状態に解放すると、規制バー２８がスプリングＳ２によって所定位置に引き戻されて、ドアレバー２０に組付けられたレバーシャフト２２が規制カム部２９の中間点２９ｃに戻るように構成されている。そのため、ドアレバー２０を上下のいずれの方向へ回転操作させた場合であっても、ドアレバーの操作力を開放することで、該ドアレバー２０を常に所定の中立位置に戻すことができる。
【００４７】
また、本実施形態においては、下方もしくは上方へ回転操作されたドアレバー２０が自由状態に開放されたときに、レバーシャフト２２が規制カム部２９の第１カム面２９ａもしくは第２カム面２９ｂに沿って動いて該規制カム部２９の中間点２９ｃまで戻る事で、ドアレバー２０の把持部２０ａが所定の中立位置に戻るように構成されている。そのため、ドアレバー２０の把持部２０ａが所定の中立位置に戻るときに、接触音が生じることが無い。
これに対し、コンソールドアの内部にストッパーを設け、ドアレバーが回転操作から開放されて戻り方向に動いたときに、該ドアレバーがストッパーと当接することによって、その戻り位置を決定される操作装置の場合、ドアレバーがストッパーに当接することにより生じる接触音を妨げることができない。そして、この接触音の発生を防止するためには、ストッパーにクッション部材を取り付ける必要があり、この場合、構成部材点数の増加を妨げられない。
【００４８】
以上では、本発明を実施するための最良の形態を図１乃至図８に関連して説明したが、この実施の形態は本発明の趣旨から逸脱しない範囲で容易に変更または変形できるものである。
【００４９】
上述した実施形態におけるコンソールドア１０用操作装置では、ドアレバー２０が回転支持部２０ｃの後方に接触子２０ｅを備え、ロックピン２４が上下方向へ傾斜して延びる第１カム面２５ａおよび第２カム面２５ｂを有したカム部２５を備えている。
この形態に代えて、ドアレバー２０が、その回転支持部２０ｃの後方に、上下方向へ傾斜して延びる第１カム面２１ａおよび第２カム面２１ｂを有したカム部２１を備え、ロックピン２４が、このカム部２１に対して組付け可能に構成された棒状の接触子２４ｃを備える構成とすることも可能である。
【００５０】
この変更した構成よりなるコンソールドア１０用操作装置のロックおよびロック解除の様子が図９に示されている。なお、図９の（Ａ）はドアレバー２０の把持部２０ａが中立位置にある状態を、（Ｂ）はドアレバー２０の把持部２０ａを下方へ回転操作させた状態を、（Ｃ）はドアレバー２０の把持部２０ａを上方へ回転操作させた状態を表している。ドアレバー２０およびロックピン２４の構成および作動はコンソールドア１０の左右で対称であるため、ここでは左側部分のみを示している。
【００５１】
図９に示すように、この形態において、ドアレバー２０におけるカム部２１の第１カム面２１ａおよび第２カム面２１ｂは、該カム部２１の上下方向の中間点２１ｃから上下方向へ所定の傾斜角度でそれぞれドアインナ１２の内方へ延びる構成とされている。
そして、ドアレバー２０の把持部２０ａの中立状態においては、図９の（Ａ）に示すように、ロックピン２４の接触子２４ｃが、ドアレバー２０におけるカム部２１の中間点２１ｃに位置するように設定されている。また、ドアレバー２０の把持部２０ａが上下方向に回転操作されるのに伴い、ドアレバー２０のカム部２１が上下に動くと、ロックピン２４の接触子２４ｃが、ドアレバー２０におけるカム部２１の第１カム面２１ａもしくは第２カム面２１ｂに沿って相対的に動くように設定されている。
【００５２】
この構成によれば、ドアレバー２０の把持部２０ａを下方へ回転操作すると、該ドアレバー２０のカム部２１が上方へ動き、それに伴ってロックピン２４の接触子２４ｃがカム部２１の第２カム面２１ｂに沿って内方へ案内される。そして、図９の（Ｂ）に示すように、ロックピン２４がコンソールドア１０の内方へ後退した状態となる。
【００５３】
また、ドアレバー２０の把持部２０ａを上方へ回転操作すると、該ドアレバー２０のカム部２１が下方へ動き、それに伴ってロックピン２４の接触子２４ｃがカム部２１の第１カム面２１ａに沿って内方へ案内される。そして、図９の（Ｃ）に示すように、ロックピン２４がコンソールドア１０の内方へ後退した状態となる。
【００５４】
図１乃至図８に関連して示したコンソールドア１０用操作装置について、次のような構成の変更も可能である。すなわち、図１乃至図８に関連して示したコンソールドア１０用操作装置では、ドアレバー２０が回転支持部２０ｃの後方にレバーシャフト２２（規制接触子）を備え、規制バー２８が上下方向へ傾斜して延びる第１カム面２９ａおよび第２カム面２９ｂを有した規制カム部２９を備えている。
この形態に代えて、ドアレバー２０が、その回転支持部２０ｃの後方に、上下方向へ傾斜して延びる第１カム面および第２カム面を有した規制カム部を備え、規制バー２８が、この規制カム部の第１カム面あるいは第２カム面に沿って相対的に移動する規制接触子を備える構成とすることもできる。
なお、このドアレバー２０における規制カム部の第１カム面および第２カム面は、該規制カム部の上下方向の中間点から上下方向へ所定の傾斜角度でそれぞれ前方へ延びる構成とされる。そして、ドアレバー２０の把持部２０ａの中立状態においては、規制バーの規制接触子が、ドアレバー２０における規制カム部の中間点に位置するように設定されている。
この構成によれば、図１乃至図８に関連して示したドアレバー２０の位置規制と同様にして、ドアレバー２０を位置規制することができる。
【００５５】
本発明におけるコンソールドア１０用操作装置は、その用途をコンソールドア１０のみに限定されるものではない。例えば、グラブボックスといった、ドアレバーおよびロック部を備えるコンソールドア１０以外の物品に対しても適用することができる。
【符号の説明】
【００５６】
２      コンソール本体
１０    コンソールドア
２０    ドアレバー
２０ｅ  接触子
２４    ロックピン
２４ａ  ロック部
２５    カム部
２５ａ  第１カム面
２５ｂ  第２カム面
２５ｃ  中間点
【図１】
2014201107.tif 000003
【図２】
2014201107.tif 000004
【図３】
2014201107.tif 000005
【図４】
2014201107.tif 000006
【図５】
2014201107.tif 000007
【図６】
2014201107.tif 000008
【図７】
2014201107.tif 000009
【図８】
2014201107.tif 000010
【図９】
2014201107.tif 000011